(57)【要約】      （修正有）【課題】外部機器が着脱可能に装着される電子機器において、外部機器が装着されたとき、電子機器の機能と外部機器の機能とを適切に設定する。【解決手段】カメラと携帯機器を有する撮影システムにおいて、カメラの制御部２２は、外部機器が装着されたかどうかを検出する検出部と、外部機器が装着されたことを検出部が検出したとき、外部機器の第１機能の仕様を取得する取得部と、取得部により仕様が取得された外部機器の第１機能と、電子機器の第２機能との少なくとも一方を制限するかどうかを判定する判定部と、を備える。【選択図】図３
2018164276.tif 000002
【特許請求の範囲】
【請求項１】
外部機器が着脱可能に装着される電子機器であって、
前記外部機器が装着されたかどうかを検出する検出部と、
前記外部機器が装着されたことを前記検出部が検出したとき、前記外部機器の第１機能の仕様を取得する取得部と、
前記取得部により仕様が取得された前記外部機器の前記第１機能と、前記電子機器の第２機能との少なくとも一方を制限するかどうかを判定する判定部と、
を備える電子機器。
【発明の詳細な説明】
【技術分野】
【０００１】
本発明は、電子機器に関する。
【背景技術】
【０００２】
特許文献１には、表示装置がカメラ本体に着脱可能に装着される無線通信カメラが提案されている。
【先行技術文献】
【特許文献】
【０００３】
【特許文献１】日本国特開２００６−３２５１５０号公報
【発明の概要】
【発明が解決しようとする課題】
【０００４】
従来、外部機器が着脱可能に装着される電子機器において、電子機器に外部機器が装着されたとき、電子機器の機能と外部機器の機能とを適切に設定することができず、ユーザの使い勝手が悪いという問題があった。
【課題を解決するための手段】
【０００５】
本発明の第１の態様によると、電子機器は、外部機器が着脱可能に装着される電子機器であって、外部機器が装着されたかどうかを検出する検出部と、外部機器が装着されたことを検出部が検出したとき、外部機器の第１機能の仕様を取得する取得部と、取得部により仕様が取得された外部機器の第１機能と、電子機器の第２機能との少なくとも一方を制限するかどうかを判定する判定部と、を備える。
本発明の第２の態様によると、第１の態様の電子機器において、第１機能と第２機能とは異なる機能であり、判定部は、第１機能と第２機能との併用が可能かどうかを判定することが好ましい。
本発明の第３の態様によると、第２の態様の電子機器において、第１機能は、水準検出機能と方位検出機能との一方であり、第２機能は、水準検出機能と方位検出機能との他方であり、判定部は、水準検出機能と方位検出機能との併用が可能かどうかを判定することが好ましい。
本発明の第４の態様によると、第１の態様の電子機器において、第１機能と第２機能とは同じカテゴリーの機能であり、判定部は、第１機能の仕様と、第２機能の仕様とに基づいて第１機能と第２機能の少なくとも一方を制限するかどうかを判定することが好ましい。
本発明の第５の態様によると、第４の態様の電子機器において、第１機能は第１表示部であり、第２機能は第２表示部であり、第１表示部の表示内容と、第２表示部の表示内容とを異ならせる制御部を備えることが好ましい。
本発明の第６の態様によると、第４または第５の態様の電子機器において、第１機能は第１方向を撮像する第１撮像部であり、第２機能は第１方向とは異なる第２方向を撮像する第２撮像部であり、第１撮像部と、第２撮像部とのそれぞれによる撮像を行う撮像制御部を備えることが好ましい。
本発明の第７の態様によると、第４の態様の電子機器において、判定部は、第１機能と第２機能との仕様を比較し、低い仕様の機能を制限することが好ましい。
本発明の第８の態様によると、第１から第７のいずれか一態様の電子機器において、判定部は、外部機器と電子機器との装着状態に応じて、第１機能と第２機能の少なくとも一方を制限するかどうかを判定することが好ましい。
本発明の第９の態様によると、第１から第８のいずれか一態様の電子機器において、技術の使用、輸出、または移転に対する規制に関する規制情報を記憶する記憶部を備え、判定部は、規制情報に基づいて、第１機能と第２機能との併用が可能かどうかを判定することが好ましい。
本発明の第１０の態様によると、第１から第９のいずれか一態様の電子機器において、収納位置と該収納位置とは異なる位置とに可動する可動部を有し、可動部が異なる位置にあるときに、外部機器を可動部の収納位置に装着する装着部を備えることが好ましい。
本発明の第１１の態様によると、第１から第１０のいずれか一態様の電子機器において、判定部が第１機能と第２機能との少なくとも一方を制限する場合に、当該制限する機能への電源供給を停止する電源制御部を備えることが好ましい。
【発明の効果】
【０００６】
本発明によれば、二つの電子機器を一体化させて使用する際のユーザの使い勝手を向上させることができる。
【図面の簡単な説明】
【０００７】
【図１】本発明の一実施の形態による電子機器であるカメラを備える撮影システムの概要図である。図１（ａ）はカメラが携帯機器と分離した状態を示しており、図１（ｂ）はカメラが携帯機器と一体となった状態を示している。
【図２】撮影システムの構成例を説明するブロック図である。
【図３】カメラの制御部の機能ブロック図である。
【図４】カメラと、携帯機器とが一体となったときの制御部によるフローチャートである。
【発明を実施するための形態】
【０００８】
以下に説明する本実施形態の撮影システムは、複数の電子機器の一例として、カメラと携帯機器とを利用するものである。図１は、撮影システム１の概要図である。撮影システム１は、カメラ１０と携帯機器１００とを備える。カメラ１０は、一眼レフカメラ、ミラーレスカメラ、コンパクトカメラのいずれのタイプであってもよく、本実施形態においては一眼レフカメラとしている。携帯機器１００は、例えば携帯電話、スマートフォンなどであって、独立した電子機器として動作すると共に、カメラ１０に装着されることによりカメラ１０と協調動作を行うことができる。本実施形態においては、携帯機器１００は、スマートフォンとしている。
【０００９】
図１（ａ）には、カメラ１０の背面図と、携帯機器１００の正面図とが図示されている。図１（ａ）では、カメラ１０と携帯機器１００とが分離している。カメラ１０は、その背面に収納部２３を有し、バリアングルモニターである表示部１４が表示画面をカメラ１０の背面側に露出させる装着状態で、その収納部２３に収納されている。また、カメラ１０は、その背面や側面など各部に操作部１８が設けられている。携帯機器１００は、その正面に撮影用の光学系１０１と表示部１０４とマイク１０９とが設けられている。表示部１０４は、タッチパネル１０５と一体となっている。マイク１０９は、ユーザが携帯機器１００の電話機能を使用する際にユーザの口元近傍に位置する。
【００１０】
図１(ｂ)は、カメラ１０と携帯機器１００とが一体となった状態を示している。図１（ｂ）では、カメラ１０の表示部１４は、多軸のヒンジ機構１４ａによりカメラ１０の下方に表示画面がカメラ１０の背面側に向くように展開されている。なお、カメラ１０は、表示画面がカメラ１０の正面側に向くように表示部１４を展開することも可能である。
【００１１】
カメラ１０は、その収納部２３に不図示の係止機構を有する。図１（ｂ）のように表示部１４が収納部２３から退出した状態において、携帯機器１００がその収納部２３に嵌め込まれたり、取り付けられたりすることにより、不図示の係止機構に携帯機器１００が係止される。図１（ｂ）では、携帯機器１００は、その表示部１０４の表示画面がカメラ１０の背面側に露出するような装着状態で係止されている。
【００１２】
なお、カメラ１０の表示部１４が多軸のヒンジ機構により展開する方向は、カメラ１０の下方でなくてもよく、例えばカメラ１０の左方または右方でもよい。なお、カメラ１０の表示部１４をカメラ１０の左方または右方に展開した場合、カメラ１０の表示部１４は、その表示画面をカメラ１０の正面側に向けた姿勢と背面側に向けた姿勢とを取り得る。
【００１３】
図２は、撮影システム１の構成例を示すブロック図である。以下、図２を用いてカメラ１０と携帯機器１００の構成について説明を行う。カメラ１０は、光学系１１、撮像素子１２、ＡＳＩＣ１３、表示部１４、記憶媒体１５、水準器１６、ＧＰＳモジュール１７、操作部１８、通信部１９、メモリ２０、接点２１及び制御部２２を有している。
【００１４】
光学系１１は、ズームレンズやフォーカシングレンズを含む複数のレンズ群で構成され、操作部１８の一つであるレリーズスイッチの操作に応じて被写体像を撮像素子１２の撮像面に結像させる。なお、本実施形態においては、カメラ１０は一眼レフカメラであるため、光学系１１は交換可能である。
【００１５】
撮像素子１２は、受光素子が撮像面に二次元配列されたＣＭＯＳイメージセンサなどによって構成され、アナログ画像信号を生成する。このアナログ画像信号は、不図示の変換器によりデジタル画像信号に変換されて、ＡＳＩＣ１３に入力される。なお、撮像素子１２の画素数は、一例として１２００万画素以上とする。
【００１６】
ＡＳＩＣ１３は、デジタル画像信号に対して各種の画像処理（色補間処理、階調変換処理、輪郭強調処理、ホワイトバランス調整処理、画像圧縮処理、画像伸張処理など）を行う回路である。ＡＳＩＣ１３の出力は、表示部１４や記憶媒体１５に入力される。
表示部１４は、一例として液晶パネルを有するバリアングルモニターとして構成され、その表示画面に画像や操作メニュー画面などを表示する。
記憶媒体１５は、一例として着脱可能なＳＤカードであり、静止画のデータや動画のデータを記憶するものである。
【００１７】
水準器１６は、あおりと水平の２方向の水準を検出するための加速度センサを有し、表示部１４に水平および垂直に関する表示を行うものである。
ＧＰＳモジュール１７は、カメラ１０の位置（例えば緯度および経度）を検出するセンサである。
操作部１８は、複数の操作ボタン、スイッチを有して、各種操作を行うものであり、レリーズスイッチ、十字キー（マルチセレクター）、コマンドダイヤルなどを有している。
【００１８】
通信部１９は、各種の無線通信を行う。本実施形態においては、通信部１９は、携帯機器１００の通信部１１０（後述）との間で通信を行う。また、通信部１９は、インターネット回線（不図示）を介して、各種情報を受信する。例えば通信部１９は、ワッセナー・アレンジメントなどの技術の使用、輸出、移転に対する規制に関する最新情報を、インターネット回線を介して受信する。なお、ワッセナー・アレンジメントとは、通常兵器および関連汎用品・技術の移転に関する国際的輸出管理の申し合わせである。
【００１９】
メモリ２０は、不揮発性の半導体メモリであり、制御部２２によって実行されるカメラ１０を制御するためのプログラムや各種パラメータが記憶されている。また、メモリ２０には、ワッセナー・アレンジメントなど、技術の使用、輸出、移転に対する規制に関する規制情報が記憶されている。
【００２０】
接点２１は、携帯機器１００がカメラ１０の収納部２３の係止機構（不図示）に係止されたときに、後述する携帯機器１００の接点１１１（後述）と係合して、カメラ１０と携帯機器１００とを電気的に接続する。カメラ１０と携帯機器１００とは、係合状態にある接点２１と接点１１１との間で、通信、データの送受信を行うことができる。なお、接点の数は適宜決定すればよい。また、接点２１と接点１１１とが係合したことをトリガーとしてカメラ１０の通信部１９と携帯機器１００の通信部１１０との間で通信が開始するようにしてもよい。
【００２１】
制御部２２は、ＣＰＵを有し、メモリ２０に記憶されているプログラムを実行してカメラ１０全体を制御するとともに、携帯機器１００と一体のときには、携帯機器１００の制御部１１２と協調制御を行う。
【００２２】
携帯機器１００は、光学系１０１、撮像素子１０２、ＡＳＩＣ１０３、表示部１０４、タッチパネル１０５、メモリ１０６、電子コンパス１０７、ＧＰＳモジュール１０８、マイク１０９、通信部１１０、接点１１１及び制御部１１２を有している。
【００２３】
光学系１０１は、少なくとも１枚のレンズを有し、図１（ａ）および（ｂ）に示してあるように表示部１０４が設けられた携帯機器１００の主面側に設けられている。携帯機器１００は、光学系１０１を通過した被写体像を撮像素子１０２に結像させて、被写体を撮像する。カメラ１０の制御部２２は、携帯機器１００で撮像した被写体像を取得する。すなわち、図１（ｂ）に示してあるように携帯機器１００をカメラ１０に装着した場合、カメラ１０の光学系１１を撮影者に向けることなく撮影者を撮像することができる。カメラ１０の制御部２２は、カメラ１０の光学系１１が向けられている第１の方向の被写体の撮像と、携帯機器１００の光学系１０１が向けられている第２の方向の被写体の撮像とをそれぞれ行うことができる。なお、携帯機器１００は、光学系１０１に加えて、携帯機器１００の主面に対する裏面側にも撮像用の光学系を設けるようにしてもよい。ここで、電子コンパス１０７が検出する方位をこの裏面側の光学系の光軸方向と合わせるように、電子コンパス１０７を配置すれば、電子コンパス１０７が検出する方位がカメラ１０の光学系１１の光軸方向と一致する。したがって、図１（ｂ）の状態では、制御部２２は、電子コンパス１０７を用いてカメラ１０の方位を検出することができる。一方、電子コンパス１０７が検出する方位が光学系１０１の光軸方向と合わせるように電子コンパス１０７が配置されている場合には、カメラ１０の光学系１１の光軸方向とは１８０度方位がずれてしまう。このような場合、カメラ１０の制御部２２は、通信部１９から電子コンパス１０７の検出方向を確認して、その出力を反転するように補正すればよい。
【００２４】
撮像素子１０２は、受光素子が撮像面に二次元配列されたＣＭＯＳイメージセンサなどによって構成され、アナログ画像信号を生成する。このアナログ画像信号は、不図示の変換器によりデジタル画像信号に変換されＡＳＩＣ１０３に入力される。なお、撮像素子１０２の画素数は、一例として１２００万画素以上とする。
ＡＳＩＣ１０３は、デジタル画像信号に対して各種の画像処理を行う。
【００２５】
表示部１０４は、一例として液晶パネルによって構成され、図１（ａ）のように携帯機器１００がカメラ１０から分離した状態では、撮像素子１０２が撮像した画像や操作メニュー画面などを表示する。一方、図１（ｂ）のように携帯機器１００がカメラ１０と一体となった状態では、カメラ１０の撮像素子１２が撮像した画像や、カメラ１０の操作メニュー画面などを表示する。
【００２６】
タッチパネル１０５は、表示部１０４の上または表示部１０４に組み込まれて設けられる操作部であり、ユーザが触れた位置に応じた入力信号を出力する。図１（ａ）のように携帯機器１００がカメラ１０から分離した状態では入力操作による入力信号が携帯機器１００の制御部１１２に入力されて、図１（ｂ）のように携帯機器１００がカメラ１０と一体となった状態ではカメラ１０の制御部２２に入力される。
【００２７】
メモリ１０６は、制御部１１２によって実行される携帯機器１００を制御するためのプログラムと各種パラメータ、撮像素子１０２により撮像された画像データなどが記憶されている。また、本実施形態においては、メモリ１０６は、携帯機器１００の構成や性能（スペック）に関する仕様情報を記憶している。これら携帯機器１００の仕様情報は、カメラ１０と携帯機器１００とが一体になったときに、カメラ１０へ送信される。
【００２８】
仕様情報に含まれる携帯機器１００の構成に関する情報とは、例えば、携帯機器１００が光学系１０１、撮像素子１０２、ＡＳＩＣ１０３、表示部１０４、タッチパネル１０５、メモリ１０６、電子コンパス１０７、ＧＰＳモジュール１０８、マイク１０９、通信部１１０、接点１１１、制御部１１２などを備えることを表す情報である。
【００２９】
また、仕様情報に含まれる携帯機器１００の性能に関する情報とは、例えば、表示部１０４がタッチパネル１０５を有すること、表示部１０４の画面解像度、ＧＰＳモジュール１０８の受信感度などである。
【００３０】
電子コンパス１０７は、ホール素子等の磁気素子により構成され、地磁気を検出して方位を検出するものである。
ＧＰＳモジュール１０８は、携帯機器１００の位置（例えば緯度および経度）を検出するセンサである。
マイク１０９は、ユーザの音声などを集音する。
【００３１】
通信部１１０は、各種の無線通信を行う。本実施形態においては、通信部１１０は、前述したカメラ１０の通信部１９との間で通信を行うものである。また、通信部１１０は、インターネット回線（不図示）を介して、各種情報を受信する。
接点１１１は、携帯機器１００がカメラ１０と一体となったときにカメラ１０の接点２１と係合して、カメラ１０と携帯機器１００とを電気的に接続する。
制御部１１２は、ＣＰＵを有し、携帯機器１００全体を制御するとともに、カメラ１０と一体のときには、カメラ１０の制御部２２との協調制御を行う。
【００３２】
図３は、カメラ１０の制御部２２の機能ブロック図である。図３に示すように、制御部２２は、メモリ２０に記憶されたプログラムを実行することにより、装着検出部２２１と仕様取得部２２２と機能制限判定部２２３として機能する。
【００３３】
装着検出部２２１は、携帯機器１００などの外部機器がカメラ１０に装着されたことを検出する。例えば、装着検出部２２１は、カメラ１０の接点２１と携帯機器１００の接点１１１との係合を検出することにより、カメラ１０に携帯機器１００が装着されたことを検出する。
【００３４】
仕様取得部２２２は、携帯機器１００などの外部機器がカメラ１０に装着されたとき、その装着された外部機器から、その外部機器の各ユニットに関する仕様情報を取得する。例えば、仕様取得部２２２は、図１（ｂ）のように携帯機器１００がカメラ１０に装着されたとき、携帯機器１００からそのメモリ１０６に記憶されている仕様情報を、通信部１９または接点２１を介して取得する。
【００３５】
機能制限判定部２２３は、二つの機能を有する。第１に、機能制限判定部２２３は、携帯機器１００などの外部機器がカメラ１０に装着された際に、仕様取得部２２２により取得した仕様情報と、カメラ１０のメモリ２０に記憶された規制情報とに基づいて、カメラ１０と携帯機器１００とに備わる各機能について使用を制限するか否か、それぞれのユニットの機能を併用することが可能か否かを判定する。そして、機能制限判定部２２３は、機能の使用を制限すると判定されたユニットに対して、機能制限を行うと共に、そのユニットへの電源供給を中止させる。
【００３６】
カメラ１０単体や携帯機器１００単体ではワッセナー・アレンジメントで規定する輸出禁止品や、輸出規制品に該当しなくても、カメラ１０と携帯機器１００とが協調して動作する際に、カメラ１０の機能と携帯機器１００の機能との併用により、ワッセナー・アレンジメントで規定する輸出禁止品や、輸出規制品に該当する虞がある。例えば、カメラ１０と携帯機器１００の併用により、所定の画素数の撮像素子と、水準器機能と、電子コンパス機能とを有することとなった場合、ワッセナー・アレンジメントで規定する輸出禁止品や、輸出規制品に該当する虞がある。
【００３７】
機能制限判定部２２３は、カメラ１０の機能と携帯機器１００の機能とを組み合わせて併用することにより、規制情報において規制対象となる機能を、仕様取得部２２２により取得された仕様情報に基づいて検出する。そして、機能制限判定部２２３は、それらの組み合わせを構成する機能について、使用を制限するか否かを判定する。例えば、カメラ１０が水準器１６を備え、カメラ１０に装着された携帯機器１００が電子コンパス１０７を備える場合は、機能制限判定部２２３は、ワッセナー・アレンジメントに関する規制情報に基づいて、水準器１６の機能と電子コンパス１０７の機能の組み合わせを検出して、水準器１６の機能と電子コンパス１０７の機能についてそれぞれ使用を制限するか否かを判定する。そして、機能制限判定部２２３は、機能の使用を制限すると判定されたユニットの機能を制限すると共に、そのユニットへの電源供給を中止させる。機能制限判定部２２３は、電力供給を中止することにより、撮影システム１における電力の消費を抑えることができる。
【００３８】
第２に、機能制限判定部２２３は、携帯機器１００などの外部機器がカメラ１０に装着された際に、カメラ１０と携帯機器１００との双方が共に同一カテゴリーの機能を果たすユニットを備えている場合には、カメラ１０と携帯機器１００とのうちいずれか一方の機能を制限する。機能のカテゴリーとは、例えばＧＰＳ衛星からの電波受信、メニュー画面等の画面表示、インターネット回線との接続、ユーザの入力操作受付などを含む。
【００３９】
例えば、カメラ１０のＧＰＳモジュール１７と携帯機器１００のＧＰＳモジュール１０８は共にＧＰＳ衛星からの電波受信というカテゴリーの機能を果たす。機能制限判定部２２３は、携帯機器１００がカメラ１０に装着された際には、それらのＧＰＳモジュールについて、それぞれ機能の使用を制限するか否かを判定する。例えば、機能制限判定部２２３は、カメラ１０のＧＰＳモジュール１７と携帯機器１００のＧＰＳモジュール１０８とのうち、受信感度が低いまたは電力消費量が大きいＧＰＳモジュールの機能の使用を制限する。
【００４０】
また、例えば、カメラ１０の表示部１４と携帯機器１００の表示部１０４は共に画面表示というカテゴリーの機能を果たす。機能制限判定部２２３は、携帯機器１００がカメラ１０に装着された際には、それらの表示部について、それぞれ機能の使用を制限するか否かを判定する。例えば、機能制限判定部２２３は、カメラ１０の表示部１４と携帯機器１００の表示部１０４とのうち、画面解像度の低い表示部の機能の使用を制限する。なお、機能制限判定部２２３は、二つの表示部の両方を使用することを選択してもよい。例えば、機能制限判定部２２３は、画面解像度の高い表示部に撮像画像を表示し、画面解像度の低い表示部にメニュー画面を表示することにしてもよい。また、携帯機器１００が裏面側にも表示部を備える場合、機能制限判定部２２３は、携帯機器１００の本体で隠れて見えない裏面側の表示部の使用を制限する。すなわち、機能制限判定部２２３は、カメラ１０に対する携帯機器１００の装着状態に基づいて携帯機器１００の表示部の使用を制限する。
【００４１】
図４は、カメラ１０の電源がオンとなったときにカメラ１０の制御部２２により実行される処理に関するフローチャートである。
【００４２】
ステップＳ１では、カメラ１０の制御部２２は、装着検出部２２１の処理により、携帯機器１００がカメラ１０に装着されているか否かを判定する。カメラ１０の制御部２２は、カメラ１０の接点２１と携帯機器１００の接点１１１とが係合しているときステップＳ１の判定を肯定判定して、接点２１と接点１１１とが係合していないときステップＳ１の判定を否定判定する。カメラ１０の制御部２２は、ステップＳ１が肯定判定されるまでステップＳ１の処理を繰り返し、ステップＳ１が肯定判定されたとき、ステップＳ２の処理に進む。
【００４３】
ステップＳ２では、カメラ１０の制御部２２は、仕様取得部２２２の処理により、接点２１と接点１１１とを介して、携帯機器１００の仕様情報を取得する。カメラ１０の制御部２２は、カメラ１０と携帯機器１００とが一体となるような装着状態になったことに応じて、携帯機器１００に対して携帯機器１００の仕様情報を送信するように要求する。この要求に応じて、携帯機器１００の制御部１１２は、携帯機器１００の仕様情報をカメラ１０に送信する。本実施形態においては、メモリ１０６に記憶されている携帯機器１００の仕様情報がカメラ１０に送信される。
【００４４】
ステップＳ３では、カメラ１０の制御部２２は、機能制限判定部２２３の第１および第２の機能により、カメラ１０と携帯機器１００とが一体となるような装着状態になったことに応じて、カメラ１０と携帯機器１００との各ユニットの機能についてそれぞれ使用を制限するか否かを判定する。
【００４５】
例えば、カメラ１０の制御部２２は、メモリ２０に記憶されたワッセナー・アレンジメントに関する規制情報に基づいて、カメラ１０の水準器１６または携帯機器１００の電子コンパス１０７の機能の使用を制限する判定を行う。また、カメラ１０の制御部２２は、ステップＳ２にて取得した携帯機器１００の仕様情報に基づいて、カメラ１０と携帯機器１００との双方が共に同一カテゴリーの機能を果たすユニットを備えていることを検出して、それらのユニットのそれぞれについて使用を制限するか否かの判定を行う。
【００４６】
ステップＳ４では、カメラ１０の制御部２２は、ステップＳ３の判定により機能の使用を制限すると判定されたユニットが存在するか否かを判定する。カメラ１０の制御部２２は、機能の使用を制限すると判定されたユニットが存在する場合ステップＳ４を肯定判定して処理をステップＳ５に進め、機能の使用を制限すると判定されたユニットが存在しない場合ステップＳ４を否定判定して処理をステップＳ６に進める。例えば、カメラ１０の制御部２２は、ステップＳ３にて携帯機器１００の電子コンパス１０７、ＧＰＳモジュール１０８、カメラ１０の表示部１４などの機能の使用を制限する判定を行っていた場合、ステップＳ４を肯定判定する。
【００４７】
ステップＳ５では、カメラ１０の制御部２２は、ステップＳ３において機能の使用を制限すると判定された各機能の使用を制限する。例えば、カメラ１０の制御部２２がステップＳ３にて携帯機器１００の電子コンパス１０７、ＧＰＳモジュール１０８、カメラ１０の表示部１４などの機能の使用を制限する判定を行っていた場合、それらの機能の使用を制限する。また、制御部２２および制御部１１２は、機能の使用を制限する各ユニットへの電力供給も中止させて、不図示の電源の消費電力を抑える。
【００４８】
ステップＳ６では、カメラ１０の制御部２２は、カメラ１０と携帯機器１００との協調制御の設定を行う。カメラ１０の制御部２２は、例えばカメラ１０の表示部１４の機能の使用を制限した場合、カメラ１０のＡＳＩＣ１３により画像処理された画像データを、携帯機器１００の表示部１０４に表示させるための設定や、タッチパネル１０５で入力された情報をカメラ１０側で受け付けるための設定を行い、本フローチャートを終了する。
【００４９】
以上説明した実施の形態によれば、次のような作用効果を奏する。
カメラ１０は、携帯機器１００が外部機器として着脱可能に装着される電子機器であって、装着検出部２２１と仕様取得部２２２と機能制限判定部２２３として機能する制御部２２を備える。装着検出部２２１は、携帯機器１００が装着されたかどうかを検出する。仕様取得部２２２は、携帯機器１００が装着されたことを装着検出部２２１が検出したとき、携帯機器１００の各ユニットの仕様に関する仕様情報を取得する。機能制限判定部２２３は、例えば仕様取得部２２２により仕様情報が取得された携帯機器１００の電子コンパス１０７とカメラ１０の水準器１６のいずれか少なくとも一方を制限するか否かを判定する。
以上のように、カメラ１０は、携帯機器１００と一体化して使用する際にそれぞれに備えられた同一カテゴリーのユニットの使用を自動的に制限したり、ワッセナー・アレンジメントを遵守するようにユニットを自動的に制限したりしているので、二つの電子機器を一体化させて使用する際のユーザの使い勝手を向上することができる。
【００５０】
以上で説明した実施の形態は、以下のように変形して実施できる。
上記の実施形態では、カメラ１０に水準器１６を設け、携帯機器１００に電子コンパス１０７を設けた場合について説明したが、カメラ１０に電子コンパス１０７を設け、携帯機器１００に水準器１６を設けてもよい。
【００５１】
制御部２２は、ＧＰＳモジュール１７により検出したカメラ１０の位置情報に基づきカメラ１０が位置する地域や国を確認して、通信部１９を用いて当該地域や国における電子機器の使用に対する規制情報を取得し、取得した規制情報に基づき機能制限判定部２２３の処理を実行することにしてもよい。
【００５２】
カメラ１０の制御部２２は、機能制限判定部２２３において、機能の使用を制限する判定を行った場合、機能の使用を制限することを報知するための文章または画像を、カメラ１０の表示部１４または携帯機器１００などの外部機器の表示部１０４に表示することにしてもよい。また、ユーザが操作部１８やタッチパネル１０５を用いてそれらの機能の使用の制限を解除できるようにしてもよいし、機能の使用を制限するユニットをユーザが選択できるようにしてもよい。
【００５３】
次の優先権基礎出願の開示内容は引用文としてここに組み込まれる。
日本国特許出願２０１２年第２７３５０６号（２０１２年１２月１４日出願）
【００５４】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００５５】
１０  カメラ
１４，１０４  表示部
１６  水準器
１７，１０８  ＧＰＳモジュール
１８  操作部
１９，１１０  通信部
２０，１０６  メモリ
２２，１１２  制御部
１００  携帯機器
１０５  タッチパネル
１０７  電子コンパス
２２１  装着検出部
２２２  仕様取得部
２２３  機能制限判定部
【図１】
2018164276.tif 000003
【図２】
2018164276.tif 000004
【図３】
2018164276.tif 000005
【図４】
2018164276.tif 000006